(57)【要約】【課題】  テープストリーマ等のヘリカルスキャン方式の磁気記録再生装置において、薄型化のために回転磁気ヘッドドラム装置と筐体との空間の距離を少なくすると、外力で筐体が変形したときに上ドラムに当接し上ドラムが変形した場合は、性能を確保できなくなる。【解決手段】  軸の一端を圧入した下ドラムと、前記軸の他端側に前記下ドラムに対向して取り付けられた上ドラムと、前記上ドラムと前記下ドラムとの間に外周面に磁気ヘッドを所定量突出させて前記軸に軸受けを介して回転自在に軸支された回転ドラムとからなる回転磁気ヘッドドラム装置と、前記回転磁気ヘッドドラム装置の上部に配置された筐体とで構成された磁気記録再生装置において、前記軸の先端部ストッパ部材を設け、前記ストッパ部材と上記筐体との距離１が、前記回転磁気ヘッドドラム装置の上端部と前記筐体との距離２より小さいことを特徴とする磁気記録再生装置。【選択図】  図６
2006318575.tif 000002
【特許請求の範囲】
【請求項１】
軸の一端に設けられる下ドラム、該軸の他端に設けられる上ドラム、および該下ドラムと該上ドラムの間に設けられる回転ドラムを有してなる回転磁気ヘッドドラム装置と、
該回転磁気ヘッドドラム装置の上部に配置される筐体と、
外部から該筐体が押されたときに、該回転磁気ヘッドドラム装置よりも先に該筐体に接するように、該軸の先端部に設けられたストッパ部材と、
を備えることを特徴とする磁気記録再生装置。
【請求項２】
軸の一端に設けられる下ドラム、該軸の他端に設けられる上ドラム、および該下ドラムと該上ドラムの間に設けられる回転ドラムを有してなる回転磁気ヘッドドラム装置と、
該回転磁気ヘッドドラム装置の上部に配置される筐体と、
該軸の先端部に、該筐体までの距離が該回転磁気ヘッドドラム装置の上端部と該筐体との間の距離より小さくなるように設けられたストッパ部材と、
を備えることを特徴とする磁気記録再生装置。
【請求項３】
軸の一端を圧入した下ドラムと、前記軸の他端側に前記下ドラムに対向して取り付けられた上ドラムと、前記上ドラムと前記下ドラムとの間に外周面に磁気ヘッドを所定量突出させて前記軸に軸受けを介して回転自在に軸支された回転ドラムを有してなる回転磁気ヘッドドラム装置と、
前記回転磁気ヘッドドラム装置の上部に配置された筐体とを備えて構成された磁気記録再生装置において、
前記軸の先端部にストッパ部材を設け、
前記ストッパ部材と上記筐体との距離が、前記回転磁気ヘッドドラム装置の上端部と前記筐体との距離より小さいこと
を特徴とする磁気記録再生装置。
【請求項４】
請求項１ないし３のいずれかにおいて、
前記ストッパ部材は弾性体からなることを特徴とする磁気記録再生装置。
【請求項５】
請求項１ないし４のいずれかにおいて、
前記ストッパ部材は絶縁体からなることを特徴とする磁気記録再生装置。
【発明の詳細な説明】
【技術分野】
【０００１】
本発明は、磁気記録再生装置に関する。
【背景技術】
【０００２】
本技術分野の背景技術として、例えば、特開平５−２０７４８号公報（特許文献１）がある。該公報には、目的として「ヘリカルスキャン方式の回転ヘッドドラム装置の薄型，小型化を図るようにすると共に、回転ヘッドドラム装置を用いるＶＴＲ全体の薄型，小型化も図るようにする。」と記載され、構成として「軸１１を垂直に起立固定してＶＴＲ１００のシャーシ１０１に対して斜めに取付けられる固定下ドラム１０と、外周面３０ａにヘッド３１を所定量突出させて軸１１の中途部１１ｂに軸受２８等を介して回転自在に支持された回転ドラム３０と、軸１１の上端部１１ａに固定された固定上ドラム４０と、回転ドラムと共に回転するロータ側の回転トランス６１と、固定下ドラム１０に固定されたステータ側の回転トランス６２とを備え、固定上ドラム４０の上方に突出する上部側及び固定下ドラム１０の下方に突出する下部側をそれぞれカッティング成形して、斜めのカット面４０ｆ及び１０ｆをそれぞれ形成した。」と記載されている。
【０００３】
【特許文献１】特開平５−２０７４８号公報
【発明の開示】
【発明が解決しようとする課題】
【０００４】
近年の高記録密度および高データ転送レート記録に伴い、磁気記録再生装置に搭載された回転磁気ヘッドドラム装置は、磁気ヘッドの数の増加、回転ドラムの回転数の増加や記録再生信号の微弱化による影響を低減するためのアンプの搭載等により構成はより複雑化している。また、記録再生信号の微弱化の影響を低減するため磁気ヘッドと磁気テープとの良好なコンタクトを確保するよう上ドラムを固定し、上ドラムと下ドラムの間に回転ドラムを設ける、いわゆる中回転方式回転磁気ヘッドドラム装置とするものが現れている。回転磁気ヘッドドラム装置の性能を確保するためには、磁気ヘッドと磁気テープのコンタクト、磁気テープに記録する記録パターンの直線性の確保、磁気テープの走行安定性の確保等が要求されており、特に上ドラム・回転ドラム・下ドラムと磁気テープを案内する部品が多い中回転方式回転磁気ヘッドドラム装置においてはそれぞれの部品精度および組立精度は非常に重要となっている。そのため、少しの変形でも性能を確保することが難しくなるので、外力などが回転磁気ヘッドドラム装置に加わらないようにすることが重要である。
【０００５】
また、磁気記録テープの走行方向に対して斜めに記録するヘリカルスキャン方式の磁気記録再生装置では、磁気ヘッドが搭載された回転磁気ヘッドドラム装置をシャーシに対して所定角度となるよう斜めに取付け固定している。そのため回転磁気ヘッドドラム装置のシャーシに対して垂直方向の高さ、すなわち上ドラム上端部から下ドラム下端部までの距離が長くなり、この距離に合わせて磁気記録再生装置全体の高さが高くなり大型化してしまう。しかしながら、データストリーマ等の磁気記録再生装置においては、高さを薄型化して小型化を図ることが要求されており、薄型化に向けさまざまな取り組みが行われている。
【０００６】
ここで、磁気記録再生装置の薄型化について、図１、図２、図３を用いて説明する。
【０００７】
図１は一般的な磁気記録再生装置のメカ部平面概略図を示し、図２に一般的な磁気記録再生装置の側面概略図を示す。図３は一般的な磁気記録再生装置の一部正面図である。
【０００８】
本磁気記録再生装置は外装筐体である筐体１で覆われ、内部において回転磁気ヘッドドラム装置２がシャーシ３に対して所定角度傾けられて取り付けてある。
【０００９】
磁気テープケース１６は本磁気記録再生装置に挿入されると図示しない磁気テープケース搬送手段によって搬送されるとともに磁気テープケース蓋１７は図示しない蓋開閉手段によって開けられ、図１及び図２に示す位置に装填される。さらに、記録および再生時には、磁気テープ１５は磁気テープケース１６から引出しガイド１８ａ、１８ｂによって引き出され回転磁気ヘッドドラム装置２の外周へ巻きつけられ、回転磁気ヘッドドラム装置２に備えた磁気ヘッドにより記録および再生を行う。
【００１０】
ここで、回転磁気ヘッドドラム装置２は、本磁気記録再生装置では背が一番高いので、図３に示すように上ドラム７の上ドラム上端部７ｅには回転磁気ヘッドドラム装置２のシャーシ３の上面からの高さＨを低くするように上ドラムカット部７ａを形成し、回転磁気ヘッドドラム装置２を薄型化している。このため、筐体１との間の空間２０を確保しながらも磁気記録再生装置全体の薄型化を図っている（例えば、参考文献１参照）。
【００１１】
上述したとおり磁気記録再生装置の薄型化のためには、回転磁気ヘッドドラム装置等の内部構成要素自体の薄型化が有効であるが、さらなる薄型化のためには内部構成要素間の空間を狭くして実装することが有効である。そこで、回転磁気ヘッドドラム装置２の上ドラム上端部７ｅと筐体１との間の空間２０の距離を縮めるとさらなる薄型化が図れる。しかしながら、筐体１はトップカバー等の外部筐体のため外力が加わることがあり、空間２０の距離が小さいと筐体１が内側に変形したときに、回転磁気ヘッドドラム装置２の上ドラム上端部７ｅに当接し回転磁気ヘッドドラム装置２に外力が加わり、回転磁気ヘッドドラム装置２が変形してしまう場合があるという問題があった。
【００１２】
外力による筐体１の変形時について、図４を用いて説明する。図４は一般的な磁気記録再生装置の一部詳細正面図である。
【００１３】
上ドラム上端部７ｅには回転磁気ヘッドドラム装置２の高さＨを低くするように上ドラムカット部７ａが形成され、装置全体の薄型化を図っている。ここで、使用者が本磁気記録再生装置の据付時あるいはまた使用時に筐体１へ外力Ｆ等を加えた際には、筐体１は外力なしの時の筐体位置１ａ（実線）の位置から外力がかかった時の筐体位置１ｂ（２点鎖線）の位置へと変形し、筐体１の変位量が大きい場合には上ドラム上端部７ｅと筐体１は当接する。そのため、上ドラム上端部７ｅに外力Ｆが掛かり、上ドラム上端部７ｅと上ドラム中心部７ｆとの距離Ｌと外力Ｆに比例したモーメントＭが上ドラム中心部７ｆに発生する。距離Ｌが大きければ大きいほどモーメントＭも大きくなるので、上ドラム上端部７ｅのように外周に近い位置に外力がかかると大きなモーメントＭとなり、この大きなモーメントＭが掛かることにより上ドラム７の変形あるいはまた回転磁気ヘッドドラム装置２全体の変形が発生しまう場合がある。変形した場合には磁気ヘッドと磁気テープのコンタクト・磁気テープに記録された記録パターンの直線性の確保・磁気テープの走行安定性の確保等ができなくなる。
【００１４】
ここで、筐体１と上ドラム上端部７ｅとの空間２０を、筐体１が変形しても当接しない距離まで大きくする、または筐体自体の強度を増すため厚みを増すという方法も考えられるが、磁気記録再生装置全体の薄型化には不利となる。
【００１５】
上述したように、回転磁気ヘッドドラム装置２は少しの変形でも性能を確保することが難しくなるので、さらなる薄型化のために空間２０を狭くした場合にも、外力により筐体１が変形しても回転磁気ヘッドドラム装置２の上ドラム上端部７ｅに当接しないようにすることが必要であるが、上記特許文献１記載の従来技術では、外力により筐体１が変形しても回転磁気ヘッドドラム装置２に当接しないようにすることまでは考慮されていないという問題があった。
【００１６】
本発明の目的は、薄型の磁気記録再生装置を提供することにある。
【課題を解決するための手段】
【００１７】
上記目的は、特許請求の範囲に記載の発明により達成される。
【００１８】
例えば、回転磁気ヘッドドラム装置の軸の先端部にストッパ部材を設立し、ストッパ部材と筐体との距離を上ドラム上端部と筐体との距離よりも小さくすることにより、筐体と回転磁気ヘッドドラム装置の上ドラム上端部との空間を小さくしても、筐体に外力を受けた場合には筐体をストッパ部材で受け、筐体と回転磁気ヘッドドラム装置の上ドラムとの空間を確実に確保し筐体と上ドラム上端部との当接が起こることを防止することができる。
【００１９】
さらに、ストッパ部材を弾性体で形成すれば、装置等を用いなくても安価にストッパ部材を設置可能であるとともに、精度が重要な回転磁気ヘッドドラム装置を変形させることなくストッパ部材を組み込み容易し、安価に小型化できる。
【００２０】
さらに、ストッパ部材を絶縁体から形成することにより、筐体と回転磁気ヘッドドラム装置間の絶縁を少ない空間でなすことができるため小型化へは有効である。
【発明の効果】
【００２１】
本発明によれば、薄型の磁気記録再生装置を提供することができる。
【発明を実施するための最良の形態】
【００２２】
回転磁気ヘッドドラム装置の上ドラムの軸の先端部にストッパ部材を設立し、ストッパ部材と筐体との距離を上ドラム上端部と筐体との距離よりも小さくすることにより、筐体と回転磁気ヘッドドラム装置の上ドラム上端部との空間を小さくしても、筐体に外力を受けた場合には筐体をストッパ部材で受け、筐体と回転磁気ドラム装置との空間を確保し筐体と上ドラム上端部との当接が起こることを防止することができる。
【実施例１】
【００２３】
本発明による磁気記録再生装置の構成及び組立てについて、図１０から図１３を用いて説明する。図１０は、本発明の磁気記録再生装置の一実施例の分解図、図１１は本発明の組み込み前の筐体の組み込み部分側面図、図１２は本発明の組み込み中の筐体の組み込み部分側面図、図１３は本発明の組み込み後の筐体の組み込み部分側面図を示す。
【００２４】
回転磁気ヘッドドラム装置２が取り付けられたシャーシ３と本磁気記録再生装置の駆動用回路基板２１とが外装筐体の一部である下筐体１ｄの中にとりつけてある。また、下筐体１ｄに設置してある６個の下筐体勘合部１ｅと外装筐体の一部である上筐体１ｃに設置してある６個の上筐体勘合部１ｆとが対となり、スライドさせて組み込むときに勘合する構造となっている。
【００２５】
本発明であるストッパ部材１０は回転磁気ヘッドドラム装置２の上ドラムの中心部の軸の先端部に設置されている。ここで、ストッパ部材１０の先端部は上ドラム上端部７ｅよりも高い位置となるようになっているので、上筐体１ｃとの間の距離が上ドラム上端部７ｅと上筐体１ｃとの距離よりも小さいため、上筐体１ｃに外力を受けた場合に上筐体１ｃをストッパ部材１０で受け、上筐体１ｃと回転磁気ドラム装置２の上ドラム上端部７ｅとの空間を確保し上筐体１ｃと上ドラム上端部７ｅとの当接が起こることを防止することができる。
【００２６】
次に、外装筐体を箱型に組立てるために、下筐体１ｄと上筐体１ｃとをスライドして組み込み勘合させる構造について説明する。組込み前では図１１に示すように上筐体１ｃには上筐体勘合部１ｆが切欠き状に形成され、下筐体１ｄには下筐体勘合部１ｅが折り曲げにより形成してある。組込みを始めると図１２に示すよう上筐体１ｃを下筐体１ｄの上に載せ、次に図１３に示すように上筐体１ｃの上筐体勘合部１ｆを下筐体１ｄの下筐体勘合部１ｅに勘合するようスライドさせて組み込む。
【００２７】
ここで、ストッパ部材１０は上筐体１ｃに設置することも可能であるが、本実施例のように外装筐体が上下別体の場合には、上下筐体同士の組み込み位置ばらつきや部品精度ばらつきのためストッパ部材１０と回転磁気ヘッドドラム装置２との相対位置がばらつくが、組込み時にはストッパ部材１０と回転磁気ヘッドドラム装置２は目視できないので位置合せができずストッパ部材１０は外力からの影響が少ない上ドラム中心位置（軸上）からからずれてしまう場合がある。このように位置がずれると、外力が加わったときの上ドラムで発生するモーメントが増大し、上ドラムおよびまた回転磁気ヘッドドラム装置２の変形が発生し易くなる。そのため本実施例では上ドラムの中心部（軸上）へストッパ部材１０を設置し、上ドラムの中心部（軸上）に対するストッパ部材１０の位置ずれをなくしている。
【００２８】
次に、本発明による磁気記録再生装置の一実施例の構造の詳細を図５、図６を用いて説明する。図５は本発明の磁気記録再生装置の一実施例の側面図であり、図６は本発明の磁気記録再生装置の一実施例の正面図である。
【００２９】
上筐体１ｃ、下筐体１ｄ等で構成されている外装筐体である筐体１の中にシャーシ３が絶縁体から形成されているシャーシ保持部材２２を介して取り付けられ、回転磁気ヘッドドラム装置２がシャーシ３に対して所定角度傾けられて取り付けてある。
【００３０】
磁気テープケース１６は本磁気記録再生装置に挿入されると図示しない磁気テープケース搬送手段によって搬送されるとともに磁気テープケース蓋１７は図示しない蓋開閉手段によって開けられ、図５に示す位置に装填される。さらに、記録および再生時には、磁気テープ１５は磁気テープケース１６から図示しない引出しガイドによって引き出され回転磁気ヘッドドラム装置２の外周へ巻きつけられ、記録および再生を行う。
【００３１】
回転磁気ヘッドドラム装置２は、軸８の一端を圧入した下ドラム５と、軸８の他端側に下ドラム５に対向して取り付けられた上ドラム７と、上ドラム７と下ドラム５との間に外周面に磁気ヘッドを所定量突出させて軸８に軸受け（図示せず）を介して回転自在に軸支された回転ドラム６とからなっている。
【００３２】
回転磁気ヘッドドラム装置２の上ドラム上端部７ｅにはシャーシ３の上面からの高さＨを低くするように上ドラムカット部７ａが形成され、上筐体１ｃとの空間２０が形成されている。また、上ドラム７の中心部の軸８の先端にはストッパ部材１０が設置してある。シャーシ３の上面からストッパ部材１０の先端部までの高さＺは上ドラム上端部７ｅよりも高い位置となるようになっているので、上筐体１ｃとのストッパ空間２４の距離Ｙは空間２０の距離Ｘよりも小さく、上筐体１ｃに外力を受けた場合に上筐体１ｃをストッパ部材１０で受け、上筐体１ｃと回転磁気ドラム装置２の上ドラム上端部７ｅとの空間２０の距離を確保し上筐体１ｃと上ドラム上端部７ｅとの当接が起こることを防止することができる。
【００３３】
また、ストッパ部材１０は例えばゴム等の絶縁体で形成しているので、上筐体１ｃとストッパ部材１０との間は電気的に絶縁されており、静電気等による筐体への放電が発生した場合にでも、上筐体１ｃからストッパ部材１０を介して回転磁気ヘッドドラム装置２へ電流が流れることはない。また、前述したようにシャーシ保持部材２２も絶縁体で形成されており、上筐体１ｃから下筐体１ｄを介して回転磁気ヘッドドラム装置２へ電流が流れることもない。このように本発明を用いれば静電気等による回転磁気ヘッドドラム装置２の内部回路の破損を防ぐことができる。
【００３４】
ここで、本実施例では、ストッパ空間２４の距離Ｙは所定の距離を確保するようになっているが、距離Ｙを無として、ストッパ部材１０と上筐体１ｃとが通常状態でと当接しているようにしても構わない。
【００３５】
次に、回転磁気ヘッドドラム装置２の構造について、図７、図８を用いて説明する。  図７は本発明の同磁気記録再生装置の回転ヘッドドラム装置の一実施例の斜視図であり、また、図８は本発明の同磁気記録再生装置の回転ヘッドドラム装置の一実施例の断面図である。
【００３６】
軸８は下ドラム５に対し垂直に圧入されている。６は回転ドラムであって、磁気ヘッド４が搭載されており、軸８を中心として玉軸受け９を介して軸８に回転自在に取り付けてある。予圧金具１１が図示しない止めネジにより軸８に固定されていて、玉軸受け９に予圧を与えている。１２ａはモータロータで回転ドラム６の上端面部に取り付けられている。２３は回路基板盤であり信号増幅用の図示しないプリアンプ等が搭載されている。１２ｂはモータコイルであり、１２ｃはモータステータである。薄型化のために斜めにカットしてある上ドラムカット部７ａを有する上ドラム７は予圧金具１１の上端面にモータステータ１２ｃと共に締結ねじ１３で締結されている。
【００３７】
本実施例に示すような上ドラム７、回転ドラム６、下ドラム５から構成されるいわゆる中回転方式回転磁気ヘッドドラム装置は上ドラムの磁気テープ走行部７ｃと、下ドラムの磁気テープ走行部５ａの同軸を合わせ、図示しない磁気テープと磁気ヘッド４との接触を最適化する必要がある。そのため、調整ねじ１４は上ドラムのねじ穴部７ｄに取り付けられ、調整ねじ１４の先端はモータステータ１２ｃを押し付けていて、調整ねじ１４を回すことにより上ドラム７の軸８に対する傾きを調整でき、上ドラムのテープ走行部７ｃと下ドラムのテープ走行部５ａの同軸を調整できる構成としてある。
【００３８】
軸８の長さは上ドラム７の外形よりも凹むよう設定され、ストッパ部材１０は上ドラムの中心軸に開けられた上ドラム穴７ｂに軸８に当接するまで圧入されている。弾性材でストッパ部材１０を圧入するための装置が不要と出来るので、安価にストッパ部材１０を設置することができる。
【００３９】
ストッパ部材１０は、例えばゴム等の弾性体で形成しているので、上筐体１ｃから受ける外力を緩衝させる作用も有し、さらに上ドラム穴部７ｂに圧入する際には上ドラムに無理な力をかけることなく設備などを用いなくても容易に組み込みができるので安価に小型な磁気記録再生装置を提供できる。
【００４０】
次に、本発明のストッパ部材１０の形状について、図９を用いて説明する。図９は本発明のストッパ部材の一実施例の斜視図を示す。
【００４１】
ストッパ部材１０は、上ドラム７に圧入される端部は略円筒状をなし、上筐体１ｃに近い側のもう一方は略円錐形状からなる。ストッパ部材１０の高さＡは、ストッパ部材先端部１０ａが上筐体１ｃとの間の距離Ｙに所定の距離を確保する、または、上筐体１ｃと略当接するような高さに設定されている。
【００４２】
ここで、ストッパ部材先端部１０ａを略円錐形状にすることにより、上筐体１ｃから受ける外力を軸８の中心軸と略一致させることができる構成となっていて上ドラム７には図４で示したモーメントＭは、上ドラム上端部７ｅで上筐体１ｃを受ける場合に比べて非常に小さい力となる。以上説明したように本実施例によれば、上筐体１ｃに外力を受けた場合に上筐体１ｃをストッパ部材１０で受け、上筐体１ｃと上ドラム上端部７ｅとの空間を保持することができるため、空間２０の距離Ｘを小さくすることができ小型の磁気記録再生装置を提供できる。
【００４３】
以上説明したように、本発明の各実施形態は次のような構成を採り得、次のような効果を得られる。
【００４４】
１つは、軸の一端を圧入した下ドラムと、前記軸の他端側に前記下ドラムに対向して取り付けられた上ドラムと、前記上ドラムと前記下ドラムとの間に外周面に磁気ヘッドを所定量突出させて前記軸に軸受けを介して回転自在に軸支された回転ドラムとからなる回転磁気ヘッドドラム装置と、前記回転磁気ヘッドドラム装置の上部に配置された筐体とで構成された磁気記録再生装置において、前記軸の先端部にストッパ部材を設け、前記ストッパ部材と上記筐体との距離１が、前記回転磁気ヘッドドラム装置の上端部と前記筐体との距離２より小さいことを特徴とする構成とする。これにより、筐体に外力を受けた場合には筐体をストッパ部材で受け、上ドラム上端部と筐体との空間を確保し、筐体と上ドラム上端部との当接が起こることを防止でき、磁気記録再生装置の薄型化を可能にした。
【００４５】
さらに、前記ストッパ部材は弾性体からなることを特徴とする構成とする。前記ストッパ部材を弾性体で形成すれば、上ドラムの軸部へストッパ部材の組み付け時に装置等を用いなくとも圧入等が可能となり安価にストッパ部材が設置可能である。またストッパ部材の上ドラムへの圧入等組み込み時に上ドラムへかかる力を少なくすることができ、精度が要求される上ドラムへの影響を与えにくい。
【００４６】
さらに、前記ストッパ部材は絶縁体からなることを特徴とする構成とする。ストッパ部材を絶縁体で構成すれば、静電気等による筐体への放電が発生した場合にでも、筐体から回転磁気ヘッドドラム装置への放電を防止でき、内部回路の破損防止になり、薄型な磁気記録再生装置を可能にする。
【００４７】
なお、上記の各実施形態には種々の発明が含まれており、開示される複数の構成要件の適宜な組み合わせにより種々の発明が抽出され得る。例えば、実施形態に示される全構成要件からいくつかの構成要件が削除されても、本明細書に記載の課題が解決され、効果が得られる場合には、それら構成要件が削除された構成が発明となる。
【産業上の利用可能性】
【００４８】
磁気記録再生装置の中で、特にテープストリーマ・デジタルＶＴＲ・デジタルＶＴＲカメラ・放送業務用ＶＴＲ等に利用される。
【図面の簡単な説明】
【００４９】
【図１】一般的な磁気記録再生装置のメカ部平面概略図
【図２】一般的な磁気記録再生装置の側面概略図
【図３】一般的な磁気記録再生装置の一部正面図
【図４】一般的な磁気記録再生装置の一部詳細正面図
【図５】本発明の磁気記録再生装置の一実施例の側面図
【図６】本発明の磁気記録再生装置の一実施例の正面図
【図７】本発明の磁気記録再生装置の回転ヘッドドラム装置の一実施例の斜視図
【図８】本発明の磁気記録再生装置の回転ヘッドドラム装置の一実施例の断面図
【図９】本発明のストッパ部材の一実施例の斜視図
【図１０】本発明の磁気記録再生装置の一実施例の分解図
【図１１】本発明の組み込み前の筐体の組み込み部分側面図
【図１２】本発明の組み込み中の筐体の組み込み部分側面図
【図１３】本発明の組み込み後の筐体の組み込み部分側面図
【符号の説明】
【００５０】
１…筐体、１ａ…外力なしの時の筐体位置、１ｂ…外力がかかった時の筐体位置、
１ｃ…上筐体、１ｄ…下筐体、１ｅ…下筐体勘合部、１ｆ…上筐体勘合部、
２…回転磁気ヘッドドラム装置、３…シャーシ、４…磁気ヘッド、５…下ドラム、
５ａ…下ドラムの磁気テープ走行部、６…回転ドラム、７…上ドラム、
７ａ…上ドラムカット部、７ｂ…上ドラム穴部、７ｃ…上ドラムの磁気テープ走行部、
７ｄ…上ドラムのねじ穴部、７ｅ…上ドラム上端部、７ｆ…上ドラム中心部、８…軸、９…玉軸受け、１０…ストッパ部材、１０ａ…ストッパ部材先端部、１１…予圧金具、
１２ａ…モータロータ、１２ｂ…モータコイル、１２ｃ…モータステータ、
１３…締結ねじ、１４…調整ねじ、１５…磁気テープ、１６…磁気テープケース、
１７…磁気テープケース蓋、１８ａ、１８ｂ…引出しガイド、２０…空間、
２１…駆動用回路基板、２２…シャーシ保持部材、２３…回路基板、２４…ストッパ空間
【図１】
2006318575.tif 000003
【図２】
2006318575.tif 000004
【図３】
2006318575.tif 000005
【図４】
2006318575.tif 000006
【図５】
2006318575.tif 000007
【図６】
2006318575.tif 000008
【図７】
2006318575.tif 000009
【図８】
2006318575.tif 000010
【図９】
2006318575.tif 000011
【図１０】
2006318575.tif 000012
【図１１】
2006318575.tif 000013
【図１２】
2006318575.tif 000014
【図１３】
2006318575.tif 000015